(57)【特許請求の範囲】
【請求項１】
屋根の内面側に、被吊下げ部材を吊り下げるためのサポートパイプを固着すると共に、該サポートパイプが貫通孔に挿通される上下層の保冷材を前記屋根の内面側に配設してなる低温タンクの屋根内面サポート部保冷装置であって、
前記サポートパイプの外周に、上下層の保冷材の全厚と略等しい長さを有する配管保冷用の内側パイプカバーを嵌着し、該内側パイプカバーの外周上部に、上層の保冷材の厚さと略等しい長さを有する配管保冷用の外側パイプカバーを嵌着し、
前記上層の保冷材の貫通孔の内径を前記外側パイプカバーの外径より大径とし、前記下層の保冷材の貫通孔の内径を前記内側パイプカバーの外径より大径とし、
前記各パイプカバーと前記各貫通孔との間に形成される間隙のサポートパイプ中心軸線からの距離を、上下層の保冷材毎に変化せしめ、
前記上層の保冷材の貫通孔の内周と外側パイプカバーの外周との間に形成される円筒状の間隙と、下層の保冷材の貫通孔の内周と内側パイプカバーの下部外周との間に形成される円筒状の間隙と、外側パイプカバーの下面と下層の保冷材の上面との間に形成される平たいリング状の間隙に、断熱材を充填したことを特徴とする低温タンクの屋根内面サポート部保冷装置。
【請求項２】
屋根の内面側に、被吊下げ部材を吊り下げるためのサポートパイプを固着すると共に、該サポートパイプが貫通孔に挿通される上下層の保冷材を前記屋根の内面側に配設してなる低温タンクの屋根内面サポート部保冷装置であって、
前記サポートパイプの外周上部に、上層の保冷材の厚さと略等しい長さを有する上部パイプカバーを嵌着し、前記サポートパイプの外周下部に、下層の保冷材の厚さと略等しい長さを有し且つ前記上部パイプカバーよりも外径の大きな下部パイプカバーを嵌着し、
前記上層の保冷材の貫通孔の内径を前記上部パイプカバーの外径より大径とし、前記下層の保冷材の貫通孔の内径を前記下部パイプカバーの外径より大径とし、
前記各パイプカバーと前記各貫通孔との間に形成される間隙のサポートパイプ中心軸線からの距離を、上下層の保冷材毎に変化せしめ、
前記上層の保冷材の貫通孔の内周と上部パイプカバーの外周との間に形成される円筒状の間隙と、下層の保冷材の貫通孔の内周と下部パイプカバーの外周との間に形成される円筒状の間隙と、下部パイプカバーの上面と上層の保冷材の下面との間に形成される平たいリング状の間隙に、断熱材を充填したことを特徴とする低温タンクの屋根内面サポート部保冷装置。
【発明の詳細な説明】
【０００１】
【産業上の利用分野】
本発明は、ＬＮＧ等を貯蔵する低温タンクの屋根内面に被吊下げ部材を吊り下げるためのサポートパイプの部分を保冷する低温タンクの屋根内面サポート部保冷装置に関するものである。
【０００２】
【従来の技術】
一般に、ＬＮＧ等を貯蔵する低温タンクの屋根内面側には、保守等のためにゴンドラを走行させるレールやステージ等の被吊下げ部材が吊り下げられる。
【０００３】
このような被吊下げ部材を吊り下げるために従来から使用されている低温タンクの屋根内面サポート部保冷装置の一例を図３によって説明すると、低温タンクの屋根１は、屋根板２と、該屋根板２の内面側に設けられた補強用のビーム材３とによって構成されていて、屋根１の内面側には、硬質ポリウレタンフォーム等からなる複数層（図の例では二層）の保冷材４ａ，４ｂが設けられている。
【０００４】
屋根１を構成するビーム材３の内面側にはサポートパイプ５の上端６が溶接等によって固着されており、サポートパイプ５は保冷材４ａ，４ｂに穿設された貫通孔７ａ，７ｂを貫通して保冷材４ａ，４ｂの下方まで延びている。
【０００５】
サポートパイプ５の下端８にはブラケット９が溶接等によって固着され、このブラケット９を介して、保守等のためにゴンドラを走行させるレールやステージ等の被吊下げ部材１０を吊り下げるようになっている。
【０００６】
サポートパイプ５を挿通させるために保冷材４ａ，４ｂに穿設された貫通孔７ａ，７ｂの内周とサポートパイプ５の外周との間に生ずる間隙１１には、グラスウール等の断熱材１２を充填し、低温タンク内部の冷熱が間隙１１を通って屋根１に伝えられないようにしている。
【０００７】
【発明が解決しようとする課題】
しかしながら、前述の如き従来の低温タンクの屋根内面サポート部保冷装置においては、貫通孔７ａ，７ｂは一定の直径で上下方向へ真っ直ぐに延びているため、貫通孔７ａ，７ｂの内周とサポートパイプ５の外周との間に生ずる間隙１１も上下方向に真っ直ぐ延びる形状になり、グラスウール等の断熱材１２を充填していても、低温タンク内部の冷熱は真っ直ぐな間隙１１を通って上方に逃げやすくなり、低温タンクの保冷性能を低下させる要因になっていた。
【０００８】
また、前記サポートパイプ５は、外径が比較的小さく、しかも保冷材４ａ，４ｂに対して斜めになることもあるため、保冷材４ａ，４ｂに対しサポートパイプ５に合うように貫通孔７ａ，７ｂを穿設することも容易ではなく、施工が難しいという欠点も有していた。
【０００９】
本発明は、斯かる実情に鑑み、レールやステージ等の被吊下げ部材を吊り下げる低温タンクの屋根内面サポート部から低温タンク内部の冷熱が逃げにくくすることができ、施工も行いやすい低温タンクの屋根内面サポート部保冷装置を提供することを目的とするものである。
【００１０】
【課題を解決するための手段】
本発明は、屋根の内面側に、被吊下げ部材を吊り下げるためのサポートパイプを固着すると共に、該サポートパイプが貫通孔に挿通される上下層の保冷材を前記屋根の内面側に配設してなる低温タンクの屋根内面サポート部保冷装置であって、
前記サポートパイプの外周に、上下層の保冷材の全厚と略等しい長さを有する配管保冷用の内側パイプカバーを嵌着し、該内側パイプカバーの外周上部に、上層の保冷材の厚さと略等しい長さを有する配管保冷用の外側パイプカバーを嵌着し、
前記上層の保冷材の貫通孔の内径を前記外側パイプカバーの外径より大径とし、前記下層の保冷材の貫通孔の内径を前記内側パイプカバーの外径より大径とし、
前記各パイプカバーと前記各貫通孔との間に形成される間隙のサポートパイプ中心軸線からの距離を、上下層の保冷材毎に変化せしめ、
前記上層の保冷材の貫通孔の内周と外側パイプカバーの外周との間に形成される円筒状の間隙と、下層の保冷材の貫通孔の内周と内側パイプカバーの下部外周との間に形成される円筒状の間隙と、外側パイプカバーの下面と下層の保冷材の上面との間に形成される平たいリング状の間隙に、断熱材を充填したことを特徴とする低温タンクの屋根内面サポート部保冷装置にかかるものである。
【００１１】
【００１２】
また、本発明は、屋根の内面側に、被吊下げ部材を吊り下げるためのサポートパイプを固着すると共に、該サポートパイプが貫通孔に挿通される上下層の保冷材を前記屋根の内面側に配設してなる低温タンクの屋根内面サポート部保冷装置であって、
前記サポートパイプの外周上部に、上層の保冷材の厚さと略等しい長さを有する上部パイプカバーを嵌着し、前記サポートパイプの外周下部に、下層の保冷材の厚さと略等しい長さを有し且つ前記上部パイプカバーよりも外径の大きな下部パイプカバーを嵌着し、
前記上層の保冷材の貫通孔の内径を前記上部パイプカバーの外径より大径とし、前記下層の保冷材の貫通孔の内径を前記下部パイプカバーの外径より大径とし、
前記各パイプカバーと前記各貫通孔との間に形成される間隙のサポートパイプ中心軸線からの距離を、上下層の保冷材毎に変化せしめ、
前記上層の保冷材の貫通孔の内周と上部パイプカバーの外周との間に形成される円筒状の間隙と、下層の保冷材の貫通孔の内周と下部パイプカバーの外周との間に形成される円筒状の間隙と、下部パイプカバーの上面と上層の保冷材の下面との間に形成される平たいリング状の間隙に、断熱材を充填したことを特徴とする低温タンクの屋根内面サポート部保冷装置にかかるものである。
【００１３】
【作用】
第一の発明においては、低温タンク内部の冷熱は、直径の小さな円筒状の間隙から平たいリング状の間隙を通り、さらに直径の大きい円筒状の間隙を通って屋根に逃げることになるため、冷熱の逃げる経路は屈折した経路となって冷熱が通りにくくなり、低温タンクの保冷性能が向上し、また、施工に関しては、サポートパイプの外周に内側パイプカバー並びに外側パイプカバーを嵌着して、上層の保冷材の貫通孔を外側パイプカバーの外径に対応する径にすると共に、下層の保冷材の貫通孔を内側パイプカバーの外径に対応する径にするだけで済む。
【００１４】
また、第二の発明においては、低温タンク内部の冷熱は、直径の大きな円筒状の間隙から平たいリング状の間隙を通り、さらに直径の小さな円筒状の間隙を通って屋根に逃げることになるため、冷熱の逃げる経路は屈折した経路となって冷熱が通りにくくなり、低温タンクの保冷性能が向上し、また、施工に関しては、サポートパイプの外周に上部パイプカバー並びに下部パイプカバーを嵌着して、上層の保冷材の貫通孔を上部パイプカバーの外径に対応する径にすると共に、下層の保冷材の貫通孔を下部パイプカバーの外径に対応する径にするだけで済む。
【００１５】
【実施例】
以下、本発明の実施例を図面を参照しつつ説明する。
【００１６】
図１は本発明の一実施例であって、図中、図３と同一の符号を付した部分は同一物を表わしており、サポートパイプ５の外周に、上下層の保冷材４ａ，４ｂの全厚と略等しい長さを有する配管保冷用の内側パイプカバー１７を接着剤等を用いて嵌着し、該内側パイプカバー１７の外周上部に、上層の保冷材４ａの厚さと略等しい長さを有する配管保冷用の外側パイプカバー１８を接着剤等を用いて嵌着し、上層の保冷材４ａの貫通孔７ａの内径を前記外側パイプカバー１８の外径より所要量だけ大径とし、下層の保冷材４ｂの貫通孔７ｂの内径を前記内側パイプカバー１７の外径より所要量だけ大径とし、前記各パイプカバー１７，１８と前記各貫通孔７ａ，７ｂとの間に形成される円筒状の間隙１９，２０のサポートパイプ５中心軸線からの距離を、各層の保冷材４ａ，４ｂ毎に変化せしめる。
【００１７】
尚、前記貫通孔７ａの内周と外側パイプカバー１８の外周との間に形成される円筒状の間隙１９と、貫通孔７ｂの内周と内側パイプカバー１７の下部外周との間に形成される円筒状の間隙２０と、外側パイプカバー１８の下面と保冷材４ｂの上面との間に形成される平たいリング状の間隙２１には、グラスウール等の断熱材１２を充填する。
【００１８】
前述の如く構成したので、低温タンク内部の冷熱は、直径の小さな円筒状の間隙２０から平たいリング状の間隙２１を通り、さらに直径の大きい円筒状の間隙１９を通って屋根１に逃げることになるため、冷熱の逃げる経路は屈折した経路となって冷熱が通りにくくなり、低温タンクの保冷性能が向上する。
【００１９】
また、施工に関しては、サポートパイプ５の外周に内側パイプカバー１７並びに外側パイプカバー１８を嵌着して、保冷材４ａの貫通孔７ａを外側パイプカバー１８の外径に対応する径にすると共に、保冷材４ｂの貫通孔７ｂを内側パイプカバー１７の外径に対応する径にするだけで済む。
【００２０】
こうして、レールやステージ等の被吊下げ部材１０を吊り下げる低温タンクの屋根内面サポート部から低温タンク内部の冷熱が逃げにくくすることができ、施工も行いやすくすることができる。
【００２１】
図２は本発明の他の実施例であって、図中、図１と同一の符号を付した部分は同一物を表わしており、サポートパイプ５の外周上部に、上層の保冷材４ａの厚さと略等しい長さを有する配管保冷用の上部パイプカバー２２を接着剤等を用いて嵌着し、前記サポートパイプ５の外周下部に、下層の保冷材４ｂの厚さと略等しい長さを有し且つ前記上部パイプカバー２２よりも外径の大きな配管保冷用の下部パイプカバー２３を接着剤等を用いて嵌着し、上層の保冷材４ａの貫通孔７ａの内径を前記上部パイプカバー２２の外径より所要量だけ大径とし、下層の保冷材４ｂの貫通孔７ｂの内径を前記下部パイプカバー２３の外径より所要量だけ大径とし、前記各パイプカバー２２，２３と前記各貫通孔７ａ，７ｂとの間に形成される円筒状の間隙１９，２０のサポートパイプ５中心軸線からの距離を、各層の保冷材４ａ，４ｂ毎に変化せしめたものである。
【００２２】
図２に示す実施例においては、低温タンク内部の冷熱は、直径の大きな円筒状の間隙２０から平たいリング状の間隙２１を通り、さらに直径の小さな円筒状の間隙１９を通って屋根１に逃げることになるため、冷熱の逃げる経路は屈折した経路となって冷熱が通りにくくなり、低温タンクの保冷性能が向上する。
【００２３】
また、施工に関しては、サポートパイプ５の外周に上部パイプカバー２２並びに下部パイプカバー２３を嵌着して、保冷材４ａの貫通孔７ａを上部パイプカバー２２の外径に対応する径にすると共に、保冷材４ｂの貫通孔７ｂを下部パイプカバー２３の外径に対応する径にするだけで済む。
【００２４】
こうして、図２に示す実施例の場合にも、レールやステージ等の被吊下げ部材１０を吊り下げる低温タンクの屋根内面サポート部から低温タンク内部の冷熱が逃げにくくすることができ、施工も行いやすくすることができる。
【００２５】
尚、本発明の低温タンクの屋根内面サポート部保冷装置は、上述の実施例にのみ限定されるものではなく、本発明の要旨を逸脱しない範囲内において種々変更を加え得ることは勿論である。
【００２６】
【発明の効果】
以上、説明したように本発明の低温タンクの屋根内面サポート部保冷装置によれば、低温タンクの屋根内面に被吊下げ部材を吊り下げるためのサポートパイプにはパイプカバーが密着すると共に、屋根の内面側に取り付けられる保冷材とパイプカバーの周囲との間にできる間隙は、真っ直ぐ延びずに屈折した形状になるため、低温タンク内部の冷熱は上方に逃げにくくなり、低温タンクの保冷性能を向上させることができ、またサポートパイプの外周にパイプカバーを嵌着して、保冷材の貫通孔をパイプカバーの外径に対応する径にするだけであるため、施工も行いやすくすることができるという優れた効果を奏し得る。
【図面の簡単な説明】
【図１】  本発明の一実施例の側断面図である。
【図２】  本発明の他の実施例の側断面図である。
【図３】  従来例の側断面図である。
【符号の説明】
１          屋根
４ａ        保冷材
４ｂ        保冷材
５          サポートパイプ
７ａ        貫通孔
７ｂ        貫通孔
１０          被吊下げ部材
１７          内側パイプカバー（パイプカバー）
１８          外側パイプカバー（パイプカバー）
１９          間隙
２０          間隙
２２          上部パイプカバー（パイプカバー）
２３          下部パイプカバー（パイプカバー）
【図１】
0003728771.tif 000002
【図２】
0003728771.tif 000003
【図３】
0003728771.tif 000004